(57)【要約】      （修正有）【課題】１枚のシートから容易に低コストで製造でき、収納対象物を２つのポケットに区分けして収納できるポケット付ファイルを提供する。【解決手段】シート部材に蓋部３とバックベース部２と第１、第２ポケット形成部４，５とを順に横一連に配し、第２ポケット形成部を折り曲げ線８で内側に折り曲げて第１ポケット形成部に重ね合わせ、第１及び第２ポケット形成部を折り曲げ線７で内側に折り曲げてバックベース部に重ね合わせ、バックベース部及び第１ポケット形成部の下縁を互いに接合し、蓋部を折り曲げ線６で内側に折り返して第２ポケット形成部に重ねることにより、バックベース部と第２ポケット形成部との間に上縁を開放しかつ蓋部側の側縁を蓋部により開閉可能にした第１ポケット１２と、第１及び第２ポケット形成部間に上縁のみを開放した第２ポケット１３が画成される。【選択図】図４
0003205540.tif 000002
【実用新案登録請求の範囲】
【請求項１】
バックベース部と、
前記バックベース部の一方の側縁に連設され、前記バックベース部に関して内側に、該バックベース部に重ね合わせるように折曲された第１ポケット形成部と、
第１ポケット形成部の前記バックベース部とは反対側の側縁に連設され、前記第１ポケット形成部に関して内側に、該第１ポケット形成部及び前記バックベース部に重ね合わせるように、それらの間に折曲された第２ポケット形成部と、
前記バックベース部の他方の側縁に連設され、前記バックベース部に関して内側に、前記第１ポケット形成部に重ね合わせるように折曲された蓋部とを備える１枚のシート部材からなり、
前記第１ポケット形成部及び前記バックベース部の下縁を互いに接合した接合部と、
前記バックベース部と前記第２ポケット形成部との間に画成される第１ポケットと、
前記第１ポケット形成部と前記第２ポケット形成部との間に画成される第２ポケットとを有し、
前記接合部により前記第１ポケット及び前記第２ポケットの底部側が閉塞されていることを特徴とするポケット付ファイル。
【請求項２】
前記第２ポケット形成部の下縁が、前記接合部より上方に位置するように設けられていることを特徴とする請求項１に記載のポケット付ファイル。
【請求項３】
前記第１ポケット形成部と前記第２ポケット形成部との折り曲げ部に設けられた切欠きを有することを特徴とする請求項１又は２に記載のポケット付ファイル。
【請求項４】
前記第１ポケット形成部の横幅が前記バックベース部の横幅より小さいことを特徴とする請求項１乃至３のいずれかに記載のポケット付ファイル。
【考案の詳細な説明】
【技術分野】
【０００１】
本考案は、例えば書類やシート状の収納対象物を区分けして収納するポケットを有するファイルに関する。
【背景技術】
【０００２】
従来より、書類等のシート状の収納対象物を挟んで保管するためのファイルやホルダーにおいて、仕切り又は複数の収納部を設けて収納対象物を分別できるようにしたものが知られている（例えば、特許文献１〜３を参照）。
【０００３】
また、本願出願人は、装填された紙類の脱落を確実に防止し得る紙類ホルダーを提案すると共に、既に実用化している（例えば、特許文献４を参照）。この紙類ホルダーは、１枚のシートの両側部を折り曲げ、その一方の側部に紙類の収納部を設け、それに他方の側部を重ねることにより、収納部内の紙類を不用意に脱落しないように収納し、かつ両面から３枚のシートで保護している。
【先行技術文献】
【特許文献】
【０００４】
【特許文献１】特開２０００−１５８８６３号公報
【特許文献２】実公平３−２９１７８号公報
【特許文献３】実用新案登録第３１５１４５７号公報
【特許文献４】実用新案登録第３１２１００２号公報
【考案の概要】
【考案が解決しようとする課題】
【０００５】
特許文献１に記載の分別クリアーホルダーは、１枚のシートを三分割して内側に折り曲げ、それら３枚を底辺部の接着線で１つに接続している。しかしながら、３枚のシート全部を重ねた状態で良好に接着することは、実際上容易でない。
【０００６】
特許文献２に記載のファイルは、中間シート部分、表面シート部分及び裏面シート部分をこの順に形成した１枚のシートを折り曲げて、表面シート部分と中間シート部分とを重ね合わせ、更に裏面シート部分を中間シート部分の裏面側に重ね合わせ、中間シート部分の１側辺に設けた溶着片と裏面シート部分の１側辺に設けた溶着片とを溶着して、中間シート部分と表面シート部分及び裏面シート部分との間に第１，第２収納部を設けたものである。第１収納部は上下両側が常に開口し、第２収納部は上縁と１側縁とが常に開口しているので、収納部内の書類等を脱落しないように確実に収納することは困難である。
【０００７】
特許文献３に記載の中袋付きクリアファイルは、一方の側辺を山折にして、その間に予め袋状に加工を施したＯＰＰ袋をセットし、底辺を圧着して閉じたものである。予め２つの部品を別々に加工し、それらを圧着して一体化するため、製造が面倒で時間を要し、コストが高くなるという問題がある。
【０００８】
そこで、本考案は、上述した従来技術の問題点に鑑みてなされたものであり、その目的は、１枚のシートから容易に低コストで製造することができ、収納対象物を２つのポケットに区分けして収納できると共に、特に一方のポケットには、収納対象物を簡単に脱落しないように確実に収納し得るポケット付ファイルを提供することにある。
【課題を解決するための手段】
【０００９】
本考案のポケット付ファイルは、
バックベース部と、
バックベース部の一方の側縁に連設され、バックベース部に関して内側に、該バックベース部に重ね合わせるように折曲された第１ポケット形成部と、
第１ポケット形成部のバックベース部とは反対側の側縁に連設され、第１ポケット形成部に関して内側に、該第１ポケット形成部及びバックベース部に重ね合わせるように、それらの間に折曲された第２ポケット形成部と、
バックベース部の他方の側縁に連設され、バックベース部に関して内側に、第１ポケット形成部に重ね合わせるように折曲された蓋部とを備える１枚のシート部材からなり、
第１ポケット形成部及びバックベース部の下縁を互いに接合した接合部と、
バックベース部と第２ポケット形成部との間に画成される第１ポケットと、
第１ポケット形成部と第２ポケット形成部との間に画成される第２ポケットとを有し、
接合部により第１ポケット及び第２ポケットの底部側が閉塞されていることを特徴とする。
【００１０】
或る実施形態において、第２ポケット形成部の下縁は、接合部より上方に位置するように設けられている。
【００１１】
別の実施形態において、第１ポケット形成部と第２ポケット形成部との折り曲げ部に設けられた切欠きを有する。
【００１２】
別の実施形態において、第１ポケット形成部の横幅はバックベース部の横幅より小さく設けられる。
【考案の効果】
【００１３】
本考案によれば、１枚のシートに横一連に設けられた蓋部とバックベース部と第１ポケット形成部と第２ポケット形成部とを順に折り曲げ、バックベース部と第１ポケット形成部の２枚を接合するだけで、上縁を開放しかつ蓋部側の側縁を該蓋部により開閉可能な第１ポケットと、上縁のみが開放されて、収納対象物をより確実に収納し得る第２ポケットとを有するポケット付ファイルを、比較的簡単に低コストで製造することができる。
【図面の簡単な説明】
【００１４】
【図１】本考案によるポケット付ファイルの好適な実施形態を示す全体斜視図。
【図２】図１のポケット付ファイルの展開図。
【図３】（ａ）図は図１のIIIa−IIIa線における断面図、（ｂ）図はIIIb−IIIb線における断面図。
【図４】（ａ）図は蓋部を開いた状態を示す図、（ｂ）図は更に第２ポケット形成部を開いた状態を示す図。
【考案を実施するための形態】
【００１５】
以下に、添付図面を参照しつつ、本考案によるポケット付ファイルをその好適な実施形態に基づいて詳細に説明する。添付図面において、同一又は類似の構成要素には、同一又は類似の参照符号を付して表すものとする。
【００１６】
図１において、本実施形態のポケット付ファイル１は、互いに重ね合わせるように平面矩形に折り畳まれた、裏側のバックベース部２と、表側の蓋部３と、内側の第１及び第２ポケット形成部４，５とを有する。第１ポケット形成部４の下縁４ｂは、バックベース部２の下縁２ｂと、互いに溶着により接合されている。
【００１７】
ポケット付ファイル１は、図２に示すように、全体として横長の概ね矩形をなす１枚のシート材Ｓを、後述するように所定の折り曲げ線で折り曲げて形成される。シート材Ｓには、蓋部３、バックベース部２、第１ポケット形成部４及び第２ポケット形成部５が、図中右側から左側に向けてそれぞれ折り曲げ線６〜８を介して横一連に、上縁３ａ，２ａ，４ａ，５ａを直線状に揃えて設けられている。
【００１８】
蓋部３、バックベース部２及び第１ポケット形成部４は、縦方向に同じ長さを有し、それらの下縁３ｂ，２ｂ，４ｂが直線状に揃えられている。これに対し、第２ポケット形成部５は、それらよりも縦方向の長さが短く、その下縁５ｂが、他の下縁３ｂ，２ｂ，４ｂよりも図中上方に少しずらして設けられている。第１ポケット形成部４及び蓋部３の横幅はバックベース部２の横幅より小さく、第２ポケット形成部５の横幅は、第１ポケット形成部４の横幅より僅かに小さく設けられている。
【００１９】
第１ポケット形成部４の図中表側には、下縁４ｂの略全長に亘って、バックベース部２と接合するための溶着領域９ａが設定されている。同様に、バックベース部２の図中表側には、第１ポケット形成部４の溶着領域９ａに対応する溶着領域９ｂが、下縁２ｂに沿って、蓋部２との折り曲げ線６から或る距離を隔てた位置まで設けられている。
【００２０】
第２ポケット形成部５の上縁５ａには、左右方向の略中央に、後述する指掛け部として半円形の切欠き１０が形成されている。第１ポケット形成部４の第２ポケット形成部５側（折り曲げ線８側）の側縁と第２ポケット形成部５の下縁５ｂとの交点には、後述するように使用時にこの付近に加わる力の逃げを形成するために、隅部を丸み付けした略コ字形の切欠き１１が斜め下向きに形成されている。
【００２１】
シート材Ｓとして、本実施形態では、透明、半透明又は不透明の合成樹脂製シート材料を使用している。しかしながら、別の実施形態では、例えば紙、木、金属、布、又はこれらの複合材料のシート材料を用いることができる。また、シート材Ｓは、必ずしも全体が１つの材質で形成されていなくてもよく、前記バックベース部、蓋部、第１、第２ポケット形成部の一部を異なる材質のシート材料で形成し、それらを結合して１つのシート材Ｓとして用いることもできる。
【００２２】
シート材Ｓは、第２ポケット形成部５を折り曲げ線８で内側に折り曲げ、第１ポケット形成部４に重ね合わせる。次に、前記第２ポケット形成部を重ねた第１ポケット形成部４を折り曲げ線７で内側に折り曲げ、バックベース部２に重ね合わせる。このとき、前記第２ポケット形成部の溶着領域９ａと前記バックベース部の溶着領域９ｂとを位置合わせして、連続的又は断続的に溶着させる。
【００２３】
このように形成された溶着部９によって、第１ポケット形成部４とバックベース部２との間は底部側が閉じられ、前記バックベース部と第２ポケット形成部５との間に、その上縁側と蓋部３側の側縁の２縁を開放した第１ポケット１２が画成される。更に、第１ポケット形成部４と第２ポケット形成部５との間には、上縁のみを開放した３縁閉塞型の第２ポケット１３が画成される。
【００２４】
更に、蓋部３が、折り曲げ線６で内側に折り返され、第１ポケット形成部４に重ね合わされる。上述したように、蓋部３の横幅はバックベース部２の横幅より小さいので、その自由端の側縁３ｃは、第１ポケット形成部４とバックベース部２との折り曲げ部より手前の位置に配置される。これにより、蓋部３を開く際に、指を蓋部３と第１ポケット形成部４との間に容易に差し入れることができる。
【００２５】
ポケット付ファイル１は通常、図３（ａ）、（ｂ）に断面示するように、第２ポケット形成部５が第１ポケット形成部４とバックベース部２との間に挟まれ、蓋部３が第１ポケット形成部４に重ね合わされた状態で使用される。この状態では、第２ポケット形成部５を容易に開くことができないので、第２ポケット１３は、特に出し入れの頻度が少ない収納対象物を収納するのに適している。
【００２６】
これに対し、第１ポケット１２は、比較的頻繁に出し入れする収納対象物を収納するのに適している。蓋部３を図４（ａ）に示すように外側に開くことによって、第１ポケット１２は、蓋部３側の側縁が簡単に開放される。
【００２７】
このとき、バックベース部４には、その横幅が第１ポケット形成部４より大きいことによって、その横幅の差の分だけ、溶着部９と折り曲げ線６との間に、１枚厚のシート部分が確保される。この１枚厚のシート部分が、蓋部３を開いたときに外側に湾曲することによって、第１ポケット１２は、蓋部３側の側縁をより大きく開放することができる。従って、第１ポケット１２への収納対象物の出し入れが容易になり、かつその際に溶着部９、特にその蓋部側の端部に作用する力の集中を緩和させることができる。
【００２８】
更に、第１ポケット１２は、互いに重ねられた第１及び第２ポケット形成部４，５を図中手前側に開くことにより、より大きく開放することができる。このとき、第１及び第２ポケット形成部４，５は２枚重ねのため、湾曲し難く、溶着部９、特にその蓋部３側の端部付近に、第１ポケット１２を開く動作の力が集中し易い。
【００２９】
本実施形態では、シート材Ｓに形成した切欠き１１によって、上述したように折り畳まれたポケット付ファイル１には、図４（ａ）に示すように、第１及び第２ポケット形成部４，５の折り曲げ部に、隅部を丸み付けした略三角形状に切り欠いた逃げ１４が、溶着部９の直ぐ上方の位置に設けられる。この逃げ１４によって、第１及び第２ポケット形成部４，５を開く動作の力が溶着部９の蓋部３側の端部付近に集中することを、効果的に緩和することができる。
【００３０】
本実施形態では、逃げ１４に加えて、バックベース部４に前記１枚厚のシート部分が設けられており、それらの相乗効果によって、第１ポケット１２の開き時に溶着部９の蓋部３側の端部付近への力の集中が大幅に解消される。従って、溶着部９の破損が防止され、ポケット付ファイル１の耐久性が向上する。
【００３１】
第２ポケット１３への対象収納物の出し入れは、図１の折り畳まれた状態で、該第２ポケットの常時開放された上縁側から行うことができる。このとき、第２ポケット形成部５の上縁に形成された切欠き１０に指先を入れて、第２ポケット１３の上縁開口を拡げることによって、対象収納物の出し入れを容易に行うことができる。
【００３２】
更に、第２ポケット１３への対象収納物の出し入れは、図４（ｂ）に示すように、第２ポケット形成部５を外側に開いた状態で行うこともできる。このように上縁と蓋部３側の側縁の２縁を開放することによって、対象収納物をバックベース部４と第１ポケット形成部４との間により容易に出し入れすることができる。更に、第１ポケット形成部４は、第２ポケット形成部５が重ねられていない１枚厚の状態で外側に容易に湾曲し、かつ切欠き１１によって、第１及び第２ポケット形成部４，５を開く際に力が溶着部に集中することを緩和でき、溶着部９の破損が防止される。
【００３３】
次に、第２ポケット形成部５を、図４（ａ）のように、バックベース部４に重ねるように奥まで挿入する。バックベース部４と第１ポケット形成部４との間に先に収納した対象収納物がある場合、該対象収納物は、それとバックベース部４との間に第２ポケット形成部５を差し込むことによって、第２ポケット１３に収納される。前記対象収納物が第１ポケット１２に収納すべきものである場合、該対象収納物と第１ポケット形成部４との間に第２ポケット形成部５を差し込めばよい。
【００３４】
以上、本考案を好適な実施態様に関連して説明したが、本考案は上記実施態様に限定されるものでなく、その技術的範囲において、様々な変更又は変形を加えて実施し得ることは言うまでもない。例えば、第１ポケット形成部４とバックベース部２との溶着部９は、溶着以外に、適当な接着剤を用いて接着により接合することができる。
【符号の説明】
【００３５】
１    ポケット付ファイル
２    バックベース部
３    蓋部
４    第１ポケット形成部
５    第２ポケット形成部
６〜８    折り曲げ線
９    溶着部
１０，１１  切欠き
１２  第１ポケット
１３  第２ポケット
１４  逃げ
【図１】
0003205540.tif 000003
【図２】
0003205540.tif 000004
【図３】
0003205540.tif 000005
【図４】
0003205540.tif 000006